(57)【要約】【課題】  安価で、簡単で、少ない費用で設置でき、さらに、低エネルギーで水を無駄なく構造物に供給することのできる構造物の表面温度上昇防止装置を提供する。【解決手段】  水を貯水する貯水部１と、この貯水部１から水Ｗが供給される化学的濾過機構２と、この化学的濾過機構２から水Ｗが供給される補助貯水部５と、この補助貯水部５内に貯水する水Ｗを一定量に維持する液面調整器７と、補助貯水部５から水Ｗが供給される分配器８と、この分配器８に接続され、構造物へ水Ｗを供給する分配器下流系統（供給管１１、連結パイプ１２、供給量調整器１３）とを備える。【選択図】    図１
2005232777.tif 000002
【特許請求の範囲】
【請求項１】
水を貯水する貯水部と、
この貯水部から水が供給される補助貯水部と、
この補助貯水部内に貯水する水を一定量に維持する貯水量維持手段と、
前記補助貯水部よりも低い位置に設置され、前記補助貯水部から水が供給される供給管と、
からなる構造物の表面温度上昇防止装置。
【請求項２】
前記補助貯水部と前記供給管とを連結する連結パイプに分配器を配設し、
この分配器に、一端が前記分配器に接続された連結パイプの他端に前記供給管が接続された分配器下流系統を複数接続した、
ことを特徴とする請求項１に記載の構造物の表面温度上昇防止装置。
【請求項３】
水を貯水する貯水部と、
この貯水部から水が供給される補助貯水部と、
この補助貯水部内に貯水する水を一定量に維持する貯水量維持手段と、
前記補助貯水部よりも低い位置に設置され、前記補助貯水部から水が供給される供給管と、
この供給管と前記補助貯水部とを連結する連結パイプに配設した電動弁と、
構造物あるいは大気の温度を測定する温度センサーと、
この温度センサーの出力に基づいて前記電動弁を任意の設定温度で開閉する制御部と、
からなることを特徴とする構造物の表面温度上昇防止装置。
【請求項４】
前記電動弁と前記供給管とを連結する連結パイプに分配器を配設し、
この分配器に、一端が前記分配器に接続された連結パイプの他端に前記供給管が接続された分配器下流系統を複数接続した、
ことを特徴とする請求項３に記載の構造物の表面温度上昇防止装置。
【請求項５】
前記水が雨水である、
ことを特徴とする請求項１から請求項４のいずれか１項に記載の構造物の表面温度上昇防止装置。
【請求項６】
物理的に濾過する物理的濾過機構を介して前記貯水部へ、または前記貯水部から前記補助貯へ物理的濾過機構を介して前記雨水を供給する、
ことを特徴とする請求項１から請求項５のいずれか１項に記載の構造物の表面温度上昇防止装置。
【請求項７】
前記補助貯水部と前記供給管との高低差を相対的に調整できる高さ調整手段を設けた、
ことを特徴とする請求項１から請求項６のいずれか１項に記載の構造物の表面温度上昇防止装置。
【請求項８】
前記供給管に接続されている連結パイプの前記補助貯水部よりも低い位置に供給量設定器を配設し、
前記補助貯水部と前記供給量設定器との高低差によって前記供給管への水の供給量を設定する、
ことを特徴とする請求項１から請求項７のいずれか１項に記載の構造物の表面温度上昇防止装置。
【請求項９】
前記補助貯水部と前記供給量設定器との高低差を相対的に調整できる高さ調整手段を設けた、
ことを特徴とする請求項８に記載の構造物の表面温度上昇防止装置。
【請求項１０】
前記貯水部を、前記補助貯水部よりも高い位置に設置した、
ことを特徴とする請求項１から請求項９のいずれか１項に記載の構造物の表面温度上昇防止装置。
【請求項１１】
前記供給管よりも上流の少なくとも１つの部分に、前記水を化学的に濾過する化学的濾過機構を設けた、
ことを特徴とする請求項１から請求項１０のいずれか１項に記載の構造物の表面温度上昇防止装置。
【発明の詳細な説明】
【技術分野】
【０００１】
この発明は、真夏の大都市部などで発生するヒートアイランド現象を緩和する目的で、雨水などの水を都市構造物や舗装道路などに散水し、その水の気化潜熱を利用して構造物の表面温度を持続的に降下される冷却方法に利用できる構造物の表面温度上昇防止装置に関するものである。
【背景技術】
【０００２】
大都市部においては、その敷地の大部分がアスファルト舗装、コンクリート構造物などの人工構造物で覆われている。
その反面、緑地、地面、水面といった自然が減少しているため、樹木や、地表面からの水分の蒸発量が減少し、蒸発潜熱による冷却効果が期待できない状況である。
また、日中の太陽の熱射で熱容量の大きいなアスファルト舗装、コンクリート建造物が高温となり、夜間蓄積された熱が放出されるため、夜間の温度低下が妨げられ、都市部の温度上昇をさらに引き起こしている状況である。
【０００３】
そして、このような温度上昇により、頻繁に室内冷房が必要となり、その冷房排熱により、さらに温度上昇を招くという悪循環に陥っている。
また、冷房に限らず、建物内の照明、動力、給湯などから発生する人工排熱や、自動車などの交通、工場、発電所などから発生する人工排熱などによっても都市部の温度上昇は加速している。
さらに、建築物の密集化、広域化などの都市構造の改変によっても都市部の温度上昇は加速している。
このように、人工構造物の増大、人工排熱の増大、都市構造の改変などによって引き起こされるヒートアイランド現象は深刻な状況となっている。
【０００４】
このような人工構造物などの増大によるヒートアイランド現象を緩和、解消する方法として、都市部の緑化が上げられる。
ただし、公園などの緑地面積を増加させるのには限界がある。
また、屋上緑化が推奨されているが、この方法もヒートアイランド対策として効果のあるものであるが、設置費用が高く、また、植物の管理に多大の労力が必要であるという問題点があり、この対策のみでは十分とはいえないのが現状である。
【０００５】
また、温度上昇した建築物や道路の温度を下げる方法として、水を都市構造物や道路舗装部などに散水し、その水の気化潜熱を利用して都市構造物や道路舗装部などの表面温度を持続的に降下させる方法が提案されている。
例えば、建物の屋上全面を複数の保水体で覆い、これら保水体に対して給水手段から水を補給する表面温度改善システムが知られている。
【特許文献１】特開平８−３１２０１８号公報
【０００６】
また、雨水を貯水し、構造物の表面に設置した多孔質セラミックスに散水して、その水分の蒸散によって表面温度を持続的に降下させる温度上昇防止システムも知られている。
【特許文献２】特開２００３−１０５８８３号公報
【０００７】
また、貯水した雨水を排水性舗装に供給する方法も知られている。
【特許文献３】特開２００３−８２６０７号公報
【０００８】
さらに、透水性と保水性を兼ね備え、温度上昇を緩和することが可能な保水性舗装材、保水性舗装構造、保水性舗装ブロックおよび保水舗装方法も知られている。
【特許文献４】特開２００３−２３９２０７号公報
【発明の開示】
【発明が解決しようとする課題】
【０００９】
しかしながら、特許文献１に記載されている表面温度改善システムは、具体的に水をどのように制御して補給するかがわからず、雨水を無駄に使用してしまったり、あるいは、動力を使用して水を補給するので、新たにエネルギーを消費するという問題があった。
そして、特許文献２に記載されている温度上昇防止システムも、水の循環のためにポンプを使用しており、そのために新たにエネルギーを消費するという問題があり、設備費や工事費も高価になるという問題もあった。
また、特許文献３に記載されている貯水した雨水を排水性舗装に供給する方法も、具体的に雨水をどのように制御して排水性舗装に補給するかがわからず、雨水を無駄に使用してしまう問題があり、また、ポンプによって雨水を排水性舗装に補給しているが、やはり水を補給すために新たにエネルギーを消費するとともに、設備費や工事費も高価になるという問題があった。
さらに、特許文献４に記載されている保水性舗装材、保水性舗装構造、保水性舗装ブロックおよび保水舗装方法なども、降雨が数日間ない状況では保水性舗装でも対応できない状況となることから、やはりこれらの保水性舗装にも水を所定の制御方法で供給する必要がある。
【課題を解決するための手段】
【００１０】
この発明は、以下のような発明である。
（１）水を貯水する貯水部と、この貯水部から水が供給される補助貯水部と、この補助貯水部内に貯水する水を一定量に維持する貯水量維持手段と、前記補助貯水部よりも低い位置に設置され、前記補助貯水部から水が供給される供給管と、からなる構造物の表面温度上昇防止装置である。
（２）前記補助貯水部と前記供給管とを連結する連結パイプに分配器を配設し、この分配器に、一端が前記分配器に接続された連結パイプの他端に前記供給管が接続された分配器下流系統を複数接続したことを特徴とする（１）に記載の構造物の表面温度上昇防止装置である。
（３）水を貯水する貯水部と、この貯水部から水が供給される補助貯水部と、この補助貯水部内に貯水する水を一定量に維持する貯水量維持手段と、前記補助貯水部よりも低い位置に設置され、前記補助貯水部から水が供給される供給管と、この供給管と前記補助貯水部とを連結する連結パイプに配設した電動弁と、構造物あるいは大気の温度を測定する温度センサーと、この温度センサーの出力に基づいて前記電動弁を任意の設定温度で開閉する制御部と、からなることを特徴とする構造物の表面温度上昇防止装置である。
（４）前記電動弁と前記供給管とを連結する連結パイプに分配器を配設し、この分配器に、一端が前記分配器に接続された連結パイプの他端に前記供給管が接続された分配器下流系統を複数接続したことを特徴とする（３）に記載の構造物の表面温度上昇防止装置である。
（５）前記水が雨水であることを特徴とする（１）から（４）のいずれか１つに記載の構造物の表面温度上昇防止装置である。
（６）物理的に濾過する物理的濾過機構を介して前記貯水部へ、または前記貯水部から前記補助貯へ物理的濾過機構を介して前記雨水を供給することを特徴とする（１）から（５）のいずれか１つに記載の構造物の表面温度上昇防止装置である。
（７）前記補助貯水部と前記供給管との高低差を相対的に調整できる高さ調整手段を設けたことを特徴とする（１）から（６）のいずれか１つに記載の構造物の表面温度上昇防止装置である。
（８）前記供給管に接続されている連結パイプの前記補助貯水部よりも低い位置に供給量設定器を配設し、前記補助貯水部と前記供給量設定器との高低差によって前記供給管への水の供給量を設定することを特徴とする（１）から（７）のいずれか１つに記載の構造物の表面温度上昇防止装置である。
（９）前記補助貯水部と前記供給量設定器との高低差を相対的に調整できる高さ調整手段を設けたことを特徴とする（８）に記載の構造物の表面温度上昇防止装置である。
（１０）前記貯水部を、前記補助貯水部よりも高い位置に設置したことを特徴とする（１）から（９）のいずれか１つに記載の構造物の表面温度上昇防止装置である。
（１１）前記供給管よりも上流の少なくとも１つの部分に、前記水を化学的に濾過する化学的濾過機構を設けたことを特徴とする請求項１から（１０）のいずれか１つに記載の構造物の表面温度上昇防止装置である。
【発明の効果】
【００１１】
この発明によれば、構造物の必要個所にのみ供給管を配設し、貯水部および補助貯水部を構造物の近くに配置すればよいので、簡単な工事で安価に設置できるとともに、広範囲に容易に設置することができる。
そして、補助貯水部を供給管よりも高い位置に設置したので、補助貯水部から供給管へ水を供給するポンプなどの動力源が不要となるため、安価に製作することができるとともに、少ないエネルギーで水の供給が可能となる。
さらに、分配器を設け、この分配器に複数の分配器下流系統を接続したので、すなわち、各分配器下流系統は直列でなく、並列に接続されているので、各分配器下流系統に補助貯水部との高低差に基づく圧力で水を一様に供給することができる。
また、構造物の温度を測定した温度センサーの出力によって電動弁を開閉できるようにしたので、必要時のみ水を供給管へ供給でき、無駄なく効率的に水の供給を制御することができる。
そして、水を雨水にしたので、ランニングコストをさらに安価にすることができる。
さらに、物理的濾過機構を設けたので、配管系統を目詰まりさせるごみなどを除去することができる。
そして、補助貯水部と供給管との高低差を相対的に調整できる高さ調整手段を設けたので、高さ調整手段を調整することにより、供給管の設置場所に応じて水の供給量を調整することができる。
また、供給管に接続されている連結パイプの補助貯水部よりも低い位置に供給量設定器を配設し、補助貯水部と供給量設定器との高低差によって供給管への水の供給量を設定したので、補助貯水部から供給管へ水を供給するポンプなどの動力源が不要になるため、水供給装置を安価に製作することができるとともに、補助貯水部と供給量設定器との高低差を初期の値に設定することにより、設置場所に応じて初期設定した供給量の水を供給管へ供給することができる。
さらに、補助貯水部と供給量設定器との高低差を相対的に調整できる高さ調整手段を設けたので、高さ調整手段を調整することにより、供給管の設置場所に応じて水の供給量を調整することができる。
そして、貯水部を補助貯水部よりも高い位置に設置したので、貯水部から補助貯水部へ水を供給するポンプなどの動力源が不要となるため、安価に製作することができるとともに、少ないエネルギーで水の供給が可能となる。
また、化学的濾過機構を設けたので、有害物質などを除去することができる。
【発明を実施するための最良の形態】
【００１２】
以下、この発明の実施例を図に基づいて説明する。
図１はこの発明の第１実施例である構造物の表面温度上昇防止装置の構成を示すブロック図である。
【００１３】
図１において、１は水Ｗを貯水する貯水部を示し、所定の高さに設置されている。
２は貯水部１よりも低い位置に設置されている化学的濾過機構を示し、水Ｗに含まれる配管系統などを腐食させる物質、または、水Ｗを路面などに供給した場合、路面に残ってはいけない物質などの有害物質を化学的に濾過して除去するものである。
３は連結パイプを示し、貯水部１の下側と、化学的濾過機構２の上側とを連結し、貯水部１内の水Ｗを化学的濾過機構２内へ供給するものである。
４は連結パイプ３に配設された手動式の開閉バルブを示す。
５は水Ｗを一時的に貯水する補助貯水部を示し、貯水部１および化学的濾過機構２よりも低い位置に設置されている。
【００１４】
６は連結パイプを示し、化学的濾過機構２と、補助貯水部５の上側とを連結し、化学的濾過機構２を介した水Ｗを補助貯水部５内へ供給するものである。
７は補助貯水部５に配設された貯水量維持手段としての液面調節器を示し、補助貯水部５内の水Ｗの液面を一定の高さに維持する（保つ）ように連結パイプ６の先端（下端）を開閉するものである。
８は分配器、９は連結パイプを示し、この連結パイプ９は、補助貯水部５の下側と、分配器８とを連結し、補助貯水部５内の水Ｗを分配器８内へ供給するものである。
１０は連結パイプ９に配設された手動式の開閉バルブ、１１は供給管を示し、この供給管１１は、貯水補助貯水部５よりも低い位置に設置されている。
【００１５】
１２は連結パイプを示し、分配器８と、供給管１１とを連結し、分配器８内の水Ｗを供給管１１へ供給するものである。
１３は連結パイプ１２に配設された供給量設定器を示し、例えば、水Ｗの供給量を設定するオリフィスを有するものであり、補助貯水部５よりも低く、下流の供給管１１よりも高い位置に配置され、分配器８から供給管１１へ供給する水Ｗの供給量を、補助貯水部５との高低差による圧力で設定するものである。
上記した供給管１１、連結パイプ１２、供給量設定器１３で、分配器下流系統が構成される。
【００１６】
次に、動作について説明する。
まず、開閉バルブ４，１０を開放すると、貯水部１内の水Ｗは、連結パイプ３を介して化学的濾過機構２へ供給され、化学的に濾過された後、連結パイプ６を介して補助貯水部５内へ供給される。
そして、補助貯水部５内の水Ｗは、連結パイプ９を介して分配器８内へ供給され、分配器８から連結パイプ１２、供給量設定器１３を介して各供給管１１へ、補助貯水部５と各供給量設定器１３との高低差に基づく圧力によって一定流量で供給される。
【００１７】
上記したように、水Ｗが補助貯水部５に供給されても、補助貯水部５に液面調節器７が設けられているので、補助貯水部５内の水Ｗの液面は、補助貯水部５から溢れない一定の高さに保たれる。
また、各供給管１１に供給された水Ｗは、高い温度の構造物へ供給され、この水Ｗの蒸発に伴う潜熱により、構造物の表面が冷却され、建造物の温度上昇を防止することができる。
そして、構造物が舗装道路の場合、各供給管１１から舗装道路に供給された水Ｗの上を車両が通過すると、水Ｗは車両のタイヤに付着して運搬されるので、路面のより前方まで冷却効果が現れる。
この実施例の場合、補助貯水部５の直ぐ下流の連結パイプ、すなわち、連結パイプ９に化学的濾過機構２を配設してもよい。
【００１８】
上述したように、この発明の第１実施例によれば、構造物の必要個所にのみ供給管１１を設け、各貯水部１，５などを構造物の近くに配置すればよいので、簡単な工事で安価に設置できるとともに、広範囲に容易に設置することができる。
そして、化学的濾過機構２を設けたので、水Ｗに含まれる配管系統などを腐食させる物質、または、水Ｗを路面などに供給した場合、路面に残ってはいけない物質などの有害物質を化学的に濾過して除去することができる。
また、連結パイプ３に開閉バルブ４を設けたので、貯水部１内に水Ｗがある状態でも、開閉バルブ４を閉成させることにより、水Ｗを無駄にすることなく、化学的濾過機構２のフィルタを交換することができる。
【００１９】
さらに、貯水部１を化学的濾過機構２よりも高い位置に設置し、化学的濾過機構２を補助貯水部５よりも高い位置に設置し、補助貯水部５を供給管１１よりも高い位置に設置したので、貯水部１から化学的濾過機構２を介して補助貯水部５へ、補助貯水部５から供給管１１へ水Ｗを供給するポンプなどの動力源が不要となるため、安価に製作することができるとともに、少ないエネルギーで水Ｗの供給が可能となる。
そして、分配器８に複数の分配器下流系統を接続したので、すなわち、各分配器下流系統は直列でなく、並列に接続されているので、各分配器下流系統に補助貯水部５と各供給量設定器１３との高低差に基づく圧力で水Ｗを一様に供給することができる。
さらに、供給管１１に接続されている連結パイプ１２に供給量設定器１３を配設し、補助貯水部５と供給量設定器１３との高低差によって各供給管１１への水Ｗの供給量を設定したので、補助貯水部５と供給量設定器１３との高低差を所期の値に設定することにより、設置場所に応じて初期設定した供給量の水Ｗを各供給管１１へ供給することができる。
【００２０】
図２はこの発明の第２実施例である構造物の表面温度上昇防止装置の要部の構成を示すブロック図であり、図１と同一または相当部分に同一符号を付してその説明を省略する。
なお、図示の省略されている部分は、図１と同様に構成されている。
【００２１】
図２において、２１は電磁弁などの電動弁を示し、開閉バルブ１０よりも下流の連結パイプ９に配設されている。
２２は構造物あるいは大気の温度を測定する温度センサー、２３は制御部を示し、この制御部２３は、温度センサー２２の温度信号（出力）が任意の設定温度以上になると、電動弁２１を開放させ、また、温度センサー２２の温度信号が任意の設定温度未満になると、電動弁２１を閉成させるように制御するものである。
３１は太陽電池、３２は蓄電池、３３は太陽電池制御部を示し、この太陽電池制御部３３は、太陽電池３１の起電力が制御部２３の消費電力を上回ると、太陽電池３１のその上回った分の電力を蓄電池３２へ供給して蓄電池３２を充電し、太陽電池３１の起電力が制御部２３の消費電力を下回ると、その下回った分の電力を蓄電池３２から制御部２３へ供給するものである。
【００２２】
次に、第１実施例と異なる動作、すなわち、制御部の制御について説明する。
まず、温度センサー２２によって構造物あるいは大気の温度が測定され、その温度信号が制御部２３へ出力される。
そして、制御部２３は、構造物あるいは大気の温度を測定した温度センサー２２からの温度信号が設定されている任意の設定温度以上であると、電動弁開放信号を電動弁２１へ供給し、電動弁２１を開放させる。
したがって、前述したように、各供給管１１へ水Ｗを供給することができる。
そして、制御部２３は、構造物あるいは大気の温度を測定した温度センサー２２からの温度信号が設定されている任意の設定温度未満であると、電動弁閉成信号を電動弁２１へ供給し、電動弁２１を閉成させる。
したがって、各供給管１１への水Ｗの供給が停止される。
【００２３】
上述したように、この発明の第２実施例によれば、第１実施例と同様な効果が得られるとともに、温度センサー２２によって構造物あるいは大気の温度を測定し、制御部２３に設定した任意の設定温度で電動弁２１を開閉するので、必要時のみ水Ｗを各供給管１１へ供給でき、無駄なく効率的に水Ｗの供給を制御することができる。
また、太陽電池３１の電力、太陽電池３１で充電した蓄電池３２の電力を各制御部２３，３３の駆動電力としたので、商用電源を供給できない場所でも使用することができる。
【００２４】
上記した実施例では、水Ｗを特に特定しなかったが、水Ｗは上水（例えば、水道水）や下水処理水や河川の水や地下水などを使用できる。
そして、使用する水Ｗとして最も好ましいのは、雨水である。
このように雨水を使用する利点は、自然エネルギーをそのまま使用するために新たなエネルギーの消費を抑えることが可能である。
また、本来、地盤などに浸透した雨水が蒸発することによって地盤の温度を下げるが、現状の人工構造物に覆われた都市部では、雨水が道路の側溝などに直ちに流れ込んだ後、河川などに排水されるため、雨水は地盤の冷却作用などには全く寄与しない状況であったが、この発明の構造物の表面温度上昇防止装置に雨水を使用することにより、本来の雨水の効果を生かすことにもなる。
さらに、都市部に集中豪雨などがあった場合、排水機能が追いつかずに都市部での洪水が発生することもあったが、この発明の構造物の表面温度上昇防止装置に雨水を使用することで、このような洪水を軽減できる可能性もある。
【００２５】
上記した実施例では、構造物を舗装道路とした例で説明したが、それ以外の排水性舗装道路、保水性舗装道路、歩道、中央分離帯、人工法面、橋梁、ビルや家屋の屋上、ベランダ、テラスなどの、都市部のほとんどの人工構造物が対象物の構造物に相当する。
【００２６】
次に、実際の構造物にどのように設置するかを図３から図１０に基づいて説明する。
図３はこの発明の構造物の表面温度上昇防止装置を中央分離帯に設置した例の説明図であり、水として雨水を利用するものである。
なお、この発明の構造物の表面温度上昇防止装置を構成するほとんどの部分は、中央分離帯に設置した、例えば、上面が解放した筐体内に収容されている。
【００２７】
雨水Ｗを貯水部１に貯水し、舗装道路４１に埋設した温度センサー２２によって舗装道路４１の温度が測定され、舗装道路４１の温度が電動弁（２１）を開放させる温度（任意の設定温度以上）になると、制御部（２３）が電動弁（２１）を開放させるので、各供給管１１へ雨水Ｗが供給され、舗装道路４１に雨水Ｗが散布される。
その結果、散布された雨水Ｗが蒸発する際の気化潜熱により、舗装道路４１は冷却される。
そして、舗装道路４１に埋設した温度センサー２２によって舗装道路４１の温度が測定され、舗装道路４１の温度が電動弁（２１）を閉成させる温度（任意の設定温度未満）になると、制御部２３が電動弁（２１）を閉成させるので、各供給管１１への雨水Ｗの供給が停止される。
【００２８】
図４は段差のある舗装道路において舗装道路の側溝へ流れ込んだ雨水を利用するこの発明の構造物の表面温度上昇防止装置の設置例を示す説明図である。
【００２９】
この設置例では、雨水Ｗを貯水する貯水部１を上側の舗装道路４１の下に埋設し、補助貯水部５を貯水部１より低い位置の舗装道路４１の路側部に設置し、上側の舗装道路４１の雨水Ｗは側溝４２から貯水部１に貯水される。
そして、貯水部１からオーバーフローした雨水Ｗは下水管４３に排水される。
したがって、貯水部１より低い位置に設置された補助貯水部５に、貯水部１から補助貯水部５内の雨水Ｗの液面を一定の高さに保つように雨水Ｗが供給される。
そして、舗装道路４１の温度が、図３の場合と同様に、制御部（２３）の任意の設定温度より高い場合、補助貯水部５から供給管１１を介してしみ出し部４４に雨水Ｗが供給され、舗装道路４１に雨水Ｗが散布される。
【００３０】
図５は舗装道路の側溝へ流れ込んだ雨水を利用するこの発明の構造物の表面温度上昇防止装置の他の設置例を示す説明図である。
【００３１】
この設置例では、雨水Ｗを貯水する貯水部１を舗装道路４１の下に埋設し、貯水部１内の雨水Ｗを、例えば、連結パイプ３に配設したポンプ４５で補助貯水部５へ供給する。
なお、補助貯水部５から舗装道路４１への雨水Ｗの供給は、図４の場合と同様に行われる。
【００３２】
図６は図３〜図５の設置例で舗装道路を排水性舗装あるいは保水性舗装に置き換えた場合の説明図である。
図６において、４１Ａは排水性舗装あるいは保水性舗装を示す。
【００３３】
図７はこの発明の構造物の表面温度上昇防止装置を構成する貯水部をビルの屋上に設置した場合の説明図である。
【００３４】
この設置例では、貯水部１をビル４６の屋上に設置し、補助貯水部５を、図４の設置例のように、貯水部１よりも低い位置である舗装道路４１の路側部に設置した場合である。
【００３５】
図８はこの発明の構造物の表面温度上昇防止装置を構成する全ての部分をビルの屋上に設置した場合の説明図であり、ビルの屋上の冷却を行う場合である。
【００３６】
図９は屋上緑化の下部を、この発明の構造物の表面温度上昇防止装置を構成する貯水部として利用した場合の説明図である。
【００３７】
この設置例は、補助貯水部５を、図４の設置例のように、貯水部１よりも低い位置である道路の路側部に設置した場合である。
この設置例の場合、屋上緑化用の土壌がフィルタとして機能し、物理的濾過を行って配管系統を目詰まりさせるごみなどを除去できるとともに、化学的濾過によって雨水Ｗ中の有機物や窒素、リン酸、カリウムなどを除去することができ、雨水Ｗを浄化できる。
さらに、貯水部１の雨水を、火災時や災害時の非常用水として使用したり、飲料水用浄化器と組み合わせて緊急時の飲料水として使用することも可能である。
【００３８】
図１０は屋上緑化、中央分離帯の植物、公園などへの水の供給用としてこの発明の構造物の表面温度上昇防止装置を設置した説明図である。
【００３９】
上記した実施例および設置例では、貯水部１と補助貯水部５との高さを異ならせて貯水部１から補助貯水部５へ水（雨水）Ｗを供給したが、貯水部１を地下に埋設し、補助貯水部５へ水（雨水）Ｗをポンプで供給してもよい。
そして、電動弁２１を開閉バルブ１０よりも下流の連結パイプ１２に配設したが、電動弁２１を開閉バルブ１０よりも上流の連結パイプ１２に配設してもよい。
また、供給管１１には公知の多孔質物質を接続してもよい。
さらに、太陽電池３１および／または蓄電池３２を駆動電源としたが、商用電源を駆動電源としてもよいことは言うまでもない。
【００４０】
そして、物理的濾過機構を土壌とし、この土壌を介して貯水部１へ水（雨水）Ｗを供給する例を示したが、同様に機能する他の構成の物理的濾過機構を用いてもよく、貯水部から物理的濾過機構を介して補助貯水部５へ水（雨水）Ｗを供給してもよい。
また、貯水部１と補助貯水部５との間に化学的濾過機構を設けたり、化学的濾過機構を土壌とした例を示したが、供給管１１よりも上流の少なくとも１つの部分、例えば、貯水部１の中や、補助貯水部５の中や、分配器８の中や、供給量設定器１３の中や、各連結パイプ９，１２の少なくとも１つに、同様に機能する他の構成の化学的濾過機構を設けても、その下流において化学的濾過機構の効果を得ることができる。
【００４１】
なお、上記した実施例および設置例では、設置が完了すれば、補助貯水部５と供給量設定器１３との高低差が一義的に決定されてしまうが、補助貯水部５および／または供給量設定器１３に相対的に高さを調整することのできる、例えば、ねじ式の高さ調整機構を設けることにより、供給管１１の設置場所に応じて水Ｗの供給量を調整することができる。
また、供給量設定器１３を配設しない場合は、補助貯水部５および／または供給管１１に相対的に高さを調整することのできる、例えば、ねじ式の高さ調整機構を設けることにより、供給管１１の設置場所に応じて水Ｗの供給量を調整することができる。
【図面の簡単な説明】
【００４２】
【図１】この発明の第１実施例である構造物の表面温度上昇防止装置の構成を示すブロック図である。
【図２】この発明の第２実施例である構造物の表面温度上昇防止装置の要部の構成を示すブロック図である。
【図３】この発明の構造物の表面温度上昇防止装置を中央分離帯に設置した例の説明図である。
【図４】段差のある舗装道路において舗装道路の側溝へ流れ込んだ雨水を利用するこの発明の構造物の表面温度上昇防止装置の設置例を示す説明図である。
【図５】舗装道路の側溝へ流れ込んだ雨水を利用するこの発明の構造物の表面温度上昇防止装置の他の設置例を示す説明図である。
【図６】図３〜図５の設置例で舗装道路を排水性舗装あるいは保水性舗装に置き換えた場合の説明図である。
【図７】この発明の構造物の表面温度上昇防止装置を構成する貯水部をビルの屋上に設置した場合の説明図である。
【図８】この発明の構造物の表面温度上昇防止装置を構成する全ての部分をビルの屋上に設置した場合の説明図であり、ビルの屋上の冷却を行う場合である。
【図９】屋上緑化の下部を、この発明の構造物の表面温度上昇防止装置を構成する貯水部として利用した場合の説明図である。
【図１０】屋上緑化、中央分離帯の植物、公園などへの水の供給用としてこの発明の構造物の表面温度上昇防止装置を設置した説明図である。
【符号の説明】
【００４３】
１      貯水部
２      化学的濾過機構
３      連結パイプ
４      開閉バルブ
５      補助貯水部
６      連結パイプ
７      液面調節器（貯水量維持手段）
８      分配器
９      連結パイプ
１０    開閉バルブ
１１    供給管（分配器下流系統）
１２    連結パイプ（分配器下流系統）
１３    供給量設定器（分配器下流系統）
２１    電動弁
２２    温度センサー
２３    制御部
３１    太陽電池
３２    蓄電池
３３    太陽電池制御部
４１    舗装道路
４１Ａ  排水性舗装あるいは保水性舗装
４２    側溝
４３    下水管
４４    しみ出し部
４５    ポンプ
４６    ビル
Ｗ      水（雨水）
【図１】
2005232777.tif 000003
【図２】
2005232777.tif 000004
【図３】
2005232777.tif 000005
【図４】
2005232777.tif 000006
【図５】
2005232777.tif 000007
【図６】
2005232777.tif 000008
【図７】
2005232777.tif 000009
【図８】
2005232777.tif 000010
【図９】
2005232777.tif 000011
【図１０】
2005232777.tif 000012